【事件の表示】
　平成１０年特許願第３１０３７８号「インク噴射装置の回復装置」拒絶査定不服審判事件〔平成１２年　５月１６日出願公開、特開２０００−１３５７９８〕について、次のとおり審決する。
【結　論】
　本件審判の請求は、成り立たない。
【理　由】
１．手続の経緯
　本願は、平成１０年１０月３０日の出願であって、平成１６年９月２日付け拒絶理由通知に対して、同年１１月２９日付けで手続補正がされたが、平成１７年８月５日付けで拒絶査定され、これに対し、同年９月２９日に拒絶査定不服の審判が請求されるとともに、同年１０月３１日付けで手続補正がなされたものである。
　
　
２．平成１７年１０月３１日付けの手続補正の補正却下の決定
［補正却下の決定の結論］
　平成１７年１０月３１日付けの手続補正（以下、「本件補正」という。）を却下する。
　
［理　由］
（１）本件補正前及び本件補正後の本願発明
　本件補正は、特許請求の範囲及び発明の詳細な説明についてするものであり、その補正前後の特許請求の範囲の記載は以下の通りである。
　
（補正前の特許請求の範囲：平成１６年１１月２９日付け手続補正書）
「【請求項１】 インクを噴射するノズル孔が開口したノズル面をもつ記録ヘッドを備えるインク噴射装置において、該記録ヘッドのノズル面に接離可能に接触する吸引キャップと、該吸引キャップを通じて記録ヘッドのインクを吸引する吸引ポンプ手段と、前記吸引キャップをノズル面に接離するとともに前記吸引ポンプ手段を駆動する駆動手段と、該駆動手段を制御する制御手段とを備え、
　前記制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を行わせるものであって、
　前記回復動作は、最後に行なわれる前記一連の吸引動作以外の前記一連の吸引動作の少なくとも１回が、前記吸引ポンプ手段の吸引によって生じた負圧が０に減少する途中に前記吸引キャップを前記ノズル面から離すように行われることを特徴とするインク噴射装置の回復装置。
　【請求項２】 インクを噴射するノズル孔が開口したノズル面をもつ記録ヘッドを備えるインク噴射装置において、該記録ヘッドのノズル面に接離可能に接触する吸引キャップと、該吸引キャップを通じて記録ヘッドのインクを吸引する吸引ポンプ手段と、前記吸引キャップをノズル面に接離するとともに前記吸引ポンプ手段を駆動する駆動手段と、該駆動手段を制御する制御手段とを備え、
　前記制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を行わせるものであって、
　前記回復動作は、前記吸引ポンプ手段の吸引によって生じた負圧が０に減少する途中に前記吸引キャップを前記ノズル面から離すようにする前記一連の吸引動作が少なくとも１回行われた後に、前記吸引ポンプ手段の吸引によって生じた負圧が減少して０になってから前記吸引キャップを前記ノズル面から離すようにする前記一連の吸引動作が行われるものであることを特徴とするインク噴射装置の回復装置。
　【請求項３】 前記制御手段は、複数回の前記一連の吸引動作のうち最後の前記一連の吸引動作を、前記吸引ポンプ手段の吸引によって生じた負圧が減少して０になってから前記吸引キャップを前記ノズル面から離すように行わせることを特徴とする請求項１叉は２に記載のインク噴射装置の回復装置。
　【請求項４】　前記制御手段は、前記一連の吸引動作の回数を選択して実行することを特徴とする請求項１乃至３のいずれかに記載のインク噴射装置の回復装置。
　【請求項５】　前記吸引ポンプ手段は、シリンダと、該シリンダ内において移動可能なピストンとを有することを特徴とする請求項１乃至４のいずれかに記載のインク噴射装置の回復装置。
　【請求項６】　前記駆動手段は、１回転で前記ピストンを１往復させるとともに前記吸引キャップを前記記録ヘッドのノズル面に対し接離させるカムを有し、前記制御手段は、該カムを１回転させることによって、前記一連の吸引動作を１回行なわせることを特徴とする請求項５に記載のインク噴射装置の回復装置。
　【請求項７】　前記制御手段は、前記カムを高速で回転させることによって、前記吸引ポンプ手段の吸引によって生じた負圧が０に減少する途中に前記吸引キャップを前記ノズル面から離すように前記一連の吸引動作を行わせ、前記カムを低速で回転させることによって、前記吸引ポンプ手段の吸引によって生じた負圧が減少し０になってから前記吸引キャップを前記ノズル面から離すように前記一連の吸引動作を行わせることを特徴とする請求項６に記載のインク噴射装置の回復装置。
　【請求項８】　前記記録ヘッドのノズル面を払拭するワイパ部材を備え、前記制御手段は、前記カムを１回転させることによって、前記ワイパ部材を前記ノズル面を払拭する位置に突出させさらに後退させることを特徴とする請求項６叉は７に記載のインク噴射装置の回復装置。
　【請求項９】　前記制御手段は、前記吸引キャップの一部を前記ノズル面から離してから前記一連の吸引動作の初期状態に至るまでの間は、前記カムの回転速度を速くすることを特徴とする請求項６乃至８のいずれかに記載のインク噴射装置の回復装置。」
　
（補正後の特許請求の範囲：平成１７年１０月３１日付け手続補正書）
「【請求項１】　インクを噴射するノズル孔が開口したノズル面をもつ記録ヘッドを備えるインク噴射装置において、
　該記録ヘッドのノズル面に接離可能に接触する吸引キャップと、該吸引キャップを通じて記録ヘッドのインクを吸引するものであって、シリンダと、該シリンダ内において移動可能なピストンとを有する吸引ポンプ手段と、
　前記吸引キャップをノズル面に接離するとともに前記吸引ポンプ手段を駆動するものであって、１回転で前記ピストンを１往復させるとともに前記吸引キャップを前記記録ヘッドのノズル面に対し接離させるカムを有する駆動手段と、
　該駆動手段を制御する制御手段とを備え、
　　前記制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を、最後に行なわれる前記一連の吸引動作以外の前記一連の吸引動作の少なくとも１回が、前記吸引ポンプ手段の吸引によって生じた負圧が０に減少する途中に前記吸引キャップを前記ノズル面から離すように行わせるものであり、
　前記カムを高速で回転させることによって、前記吸引ポンプ手段の吸引によって生じた負圧が０に減少する途中に前記吸引キャップを前記ノズル面から離すように前記一連の吸引動作を行わせ、前記カムを低速で回転させることによって、前記吸引ポンプ手段の吸引によって生じた負圧が減少し０になってから前記吸引キャップを前記ノズル面から離すように前記一連の吸引動作を行わせることを特徴とするインク噴射装置の回復装置。
　【請求項２】 インクを噴射するノズル孔が開口したノズル面をもつ記録ヘッドを備えるインク噴射装置において、
　該記録ヘッドのノズル面に接離可能に接触する吸引キャップと、該吸引キャップを通じて記録ヘッドのインクを吸引するものであって、シリンダと、該シリンダ内において移動可能なピストンとを有する吸引ポンプ手段と、
　前記吸引キャップをノズル面に接離するとともに前記吸引ポンプ手段を駆動するものであって、１回転で前記ピストンを１往復させるとともに前記吸引キャップを前記記録ヘッドのノズル面に対し接離させるカムを有する駆動手段と、
　該駆動手段を制御する制御手段とを備え、
　　前記制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を、前記吸引ポンプ手段の吸引によって生じた負圧が０に減少する途中に前記吸引キャップを前記ノズル面から離すようにする前記一連の吸引動作が少なくとも１回行われた後に、前記吸引ポンプ手段の吸引によって生じた負圧が減少して０になってから前記吸引キャップを前記ノズル面から離すようにする前記一連の吸引動作が行われるように、行わせるものであり、
　前記カムを高速で回転させることによって、前記吸引ポンプ手段の吸引によって生じた負圧が０に減少する途中に前記吸引キャップを前記ノズル面から離すように前記一連の吸引動作を行わせ、前記カムを低速で回転させることによって、前記吸引ポンプ手段の吸引によって生じた負圧が減少し０になってから前記吸引キャップを前記ノズル面から離すように前記一連の吸引動作を行わせることを特徴とするインク噴射装置の回復装置。
　【請求項３】 前記制御手段は、複数回の前記一連の吸引動作のうち最後の前記一連の吸引動作を、前記吸引ポンプ手段の吸引によって生じた負圧が減少して０になってから前記吸引キャップを前記ノズル面から離すように行わせることを特徴とする請求項１叉は２に記載のインク噴射装置の回復装置。
　【請求項４】　前記制御手段は、前記一連の吸引動作の回数を選択して実行することを特徴とする請求項１乃至３のいずれかに記載のインク噴射装置の回復装置。
　【請求項５】　前記記録ヘッドのノズル面を払拭するワイパ部材を備え、前記制御手段は、前記カムを１回転させることによって、前記ワイパ部材を前記ノズル面を払拭する位置に突出させさらに後退させることを特徴とする請求項１乃至４のいずれかに記載のインク噴射装置の回復装置。
　【請求項６】　前記制御手段は、前記吸引キャップの一部を前記ノズル面から離してから前記一連の吸引動作の初期状態に至るまでの間は、前記カムの回転速度を速くすることを特徴とする請求項１乃至５のいずれかに記載のインク噴射装置の回復装置。」
　
　本件補正により請求項の数が９から６に変更された。
　ここで、本件補正前後の特許請求の範囲を比較すると、独立請求項である請求項１および請求項２については、補正前後において、それぞれの記載が概ね一致すること、ならびに、これらの請求項を引用する請求項３および請求項４が補正前後において何ら記載が変更されていないことから見て、補正前の請求項１および請求項２は、それぞれ、補正後の請求項１および請求項２に対応するものと考えられる。
　しかしながら、補正前の請求項５における吸引ポンプ手段に関する記載、補正前の請求項６における駆動手段に関する記載、補正前の請求項７における制御手段に関する記載を考慮すると、本件補正後の請求項１は補正前の請求項１を引用する請求項５を引用する請求項６を引用する請求項７に、本件補正後の請求項２は補正前の請求項２を引用する請求項５を引用する請求項６を引用する請求項７に、それぞれ対応すると考えることもできる。
　
　そこで、以下では、本件補正後の請求項１について、補正前の請求項１に対応するとした場合と、補正前の請求項７に対応するとした場合の２通りについて、補正事項を検討する。
　
（２）補正目的要件の適否について
（２−１）本件補正後の請求項１が本件補正前の請求項１に対応するとした場合の検討
　本件補正前後の請求項１の記載を対比すると、本件補正は、以下の補正事項を含むものと認められる。
（補正事項イ）
　補正前の「吸引キャップを通じて記録ヘッドのインクを吸引する吸引ポンプ手段」という記載を、「吸引キャップを通じて記録ヘッドのインクを吸引する
ものであって、シリンダと、該シリンダ内において移動可能なピストンとを有する
（補正事項ロ）
　補正前の「吸引ポンプ手段を駆動する駆動手段」という記載を、「吸引ポンプ手段を駆動する
ものであって、１回転で前記ピストンを１往復させるとともに前記吸引キャップを前記記録ヘッドのノズル面に対し接離させるカムを有する
（補正事項ハ）
　補正前の「制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を行わせるものであって、
　前記回復動作は、最後に行なわれる前記一連の吸引動作以外の前記一連の吸引動作の少なくとも１回が、前記吸引ポンプ手段の吸引によって生じた負圧が０に減少する途中に前記吸引キャップを前記ノズル面から離すように行われる」
という記載を、「制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作
を、
わせるものであり、　
前記カムを高速で回転させることによって、前記吸引ポンプ手段の吸引によって生じた負圧が０に減少する途中に前記吸引キャップを前記ノズル面から離すように前記一連の吸引動作を行わせ、前記カムを低速で回転させることによって、前記吸引ポンプ手段の吸引によって生じた負圧が減少し０になってから前記吸引キャップを前記ノズル面から離すように前記一連の吸引動作を行わせる
（審決注．補正事項の提示に際し、補正箇所に下線を付した。）
　
　（補正事項イ）〜（補正事項ハ）が、平成１８年改正前特許法第１７条の２第４項各号を目的としたものであるかについて、以下に検討する。
　
Ａ．（補正事項イ）および（補正事項ロ）について
　（補正事項イ）および（補正事項ロ）は、補正前の発明を特定するために必要な事項である「吸引ポンプ手段」および「駆動手段」について限定するものにみえる。
　したがって、（補正事項イ）および（補正事項ロ）が、特許請求の範囲の減縮を目的とするものであるかどうかについて、以下に検討する。
　（補正事項イ）および（補正事項ロ）にてなされた限定は、本件補正前の請求項１に係る発明の「回復性能が高く信頼性の高い回復装置を提示する（本願明細書段落【０００５】）」という課題とは、その限定された事項からみて関係がないものである。さらに、平成１８年１月１１日付け審判請求書手続補正書において「一連の吸引動作に含まれる各動作がすべてカムによってなされるため、付着したゴミ、気泡を動きやすくするための一連の吸引動作（負圧が０に減少する途中に吸引キャップをノズル面から離すように行われる一連の吸引動作）を短時間で完了させることができ、（「１．本願の発明の説明」欄最終段落）」と記載されていることから見ても、（補正事項イ）および（補正事項ロ）に関する補正は、本件補正前の請求項１に係る発明の解決しようとする課題とは異なる課題を解決しようとするものであると認められる。
　そうすると、（補正事項イ）および（補正事項ロ）は、形式的には「吸引ポンプ手段」および「駆動手段」について限定するものであるものの、補正前後の請求項１に係る発明の課題が同一であるとはいえないから、平成１８年改正前特許法第１７条の２第４項２号の「特許請求の範囲の減縮」を目的とするものには当たらない。
　さらに、補正前の請求項１には原査定の拒絶の理由にも何ら指摘がなされていないように、明りようでない記載は存在していなかったものであり、かつ、上記（補正事項イ）および（補正事項ロ）により限定された「吸引ポンプ手段」を「シリンダ」と「ピストン」により構成する技術、および、吸引ポンプ手段と吸引キャップを駆動する「駆動手段」として「カム」を使用する技術とは、ともに、当該技術分野において周知事項であることを考慮すれば、上記（補正事項イ）および（補正事項ロ）が明りようでない記載の釈明に該当するものとは認められない。
　さらに、（補正事項イ）および（補正事項ロ）が、「請求項の削除」および「誤記の訂正」に該当するものでないことは自明である。
　
Ｂ．（補正事項ハ）について
　（補正事項ハ）は、その記載から見て、補正前の発明を特定するために必要な事項である「制御手段」の制御内容に言及するものである。
　しかしながら、本件補正前の請求項１には、「制御手段」が「一連の吸引動作の少なくとも１回が、吸引ポンプ手段の吸引によって生じた負圧が０に減少する途中に吸引キャップを前記ノズル面から離すように行われる」ように制御することについては記載があるものの、この「制御手段」が、「吸引ポンプ手段の吸引によって生じた負圧が減少し０になってから吸引キャップをノズル面から離すように一連の吸引動作を行わせる」ことについては明記がない。
　そして、補正前の請求項１における「制御手段」は、複数の一連の吸引動作のうち、「少なくとも１回」以外の一連の吸引動作を具体的にどのように行うかについても記載がないことから、（補正事項ハ）によって付加された「カムを低速で回転させることによって、吸引ポンプ手段の吸引によって生じた負圧が減少し０になってから吸引キャップを前記ノズル面から離すように一連の吸引動作を行わせる」という事項は、「請求項に記載した発明を特定するために必要な事項を限定するもの」に該当せず、平成１８年改正前特許法第１７条の２第４項２号にいう「特許請求の範囲の減縮」には当たらない。
　仮に、（補正事項ハ）によって付加された「カムを低速で回転させることによって、吸引ポンプ手段の吸引によって生じた負圧が減少し０になってから吸引キャップを前記ノズル面から離すように一連の吸引動作を行わせる」という事項が「制御手段」の制御内容を限定しようとするものであるとしても、補正前の「制御手段」は「一連の吸引動作の少なくとも１回が、吸引ポンプ手段の吸引によって生じた負圧が０に減少する途中に吸引キャップを前記ノズル面から離すように行われる」ように制御するものであることから、補正前の「制御手段」と、（補正事項ハ）における「カムを低速で回転させることによって、吸引ポンプ手段の吸引によって生じた負圧が減少し０になってから吸引キャップをノズル面から離すように一連の吸引動作を行わせる」という記載は、その相互の技術的関連性が不明確である。よって、（補正事項ハ）は「制御手段」の制御内容をどのように限定するものであるのか把握できないものであるから、（補正事項ハ）は「制御手段」の制御内容を限定するものであるとは認められない。
　したがって、（補正事項ハ）は、請求項に記載した発明を特定するために必要な事項を限定するものに該当せず、平成１８年改正前特許法第１７条の２第４項２号にいう「特許請求の範囲の減縮」には当たらない。
　さらに、補正前の請求項１には原査定の拒絶の理由にも何ら指摘がなされていないように、明りようでない記載は存在していなかったものと認められることから、上記（補正事項ハ）は、明りようでない記載の釈明に該当するものとは認められない。
　さらに、（補正事項ハ）が、「請求項の削除」および「誤記の訂正」に該当するものでないことは自明である。
　
　したがって、本件補正後の請求項１が本件補正前の請求項１に対応するとした場合において、本件補正において請求項１についてする（補正事項イ）乃至（補正事項ハ）は平成１８年改正前特許法第１７条の２第４項各号を目的としたものとは認められないので、本件補正は却下されなければならない。
　
（２−２）本件補正後の請求項１が本件補正前の請求項７に対応するとした場合の検討
　本件補正後の請求項１に係る「吸引ポンプ手段」、「駆動手段」および「制御手段」に関する特定は、補正前の請求項７に係る特定であるので、補正後の請求項１が補正前の請求項７に対応する可能性を有することから、以下に検討する。
　本件補正後の請求項１は、本件補正前の請求項７が引用する請求項６に記載された「制御手段は、カムを１回転させることによって、前記一連の吸引動作を１回行なわせる」という、発明を特定するために必要な事項を削除するものである。
　したがって、本件補正後の請求項１は、本件補正前の請求項７に記載した発明を特定するために必要な事項を限定するものに該当せず、平成１８年改正前特許法第１７条の２第４項２号にいう「特許請求の範囲の減縮」には当たらない。
　さらに、補正前の請求項１には原査定の拒絶の理由にも何ら指摘がなされていないように、明りようでない記載は存在していなかったものと認められることから、上記記載を削除する補正は、明りようでない記載の釈明に該当するものとは認められない。
　さらに、上記記載を削除する補正が、「請求項の削除」および「誤記の訂正」に該当するものでないことは自明である。
　
　したがって、本件補正後の請求項１が本件補正前の請求項７に対応するとした場合においても、本件補正は、平成１８年改正前特許法第１７条の２第４項各号を目的としたものとは認められないので、却下されなければならない。
　
（２−３）補正目的要件の適否についてのむすび
　上記のとおりであるから、本件補正において請求項１についてする補正は平成１８年改正前特許法第１７条の２第４項各号を目的としたものとは認められないので、本件補正は却下されなければならない。
　
　しかし、（２−１）で検討したように、本件補正後の請求項１が本件補正前の請求項１に対応するとした場合には、（補正事項イ）および（補正事項ロ）は発明を特定するために必要な事項を限定しようとする補正であり、かつ、（補正事項ハ）についても発明を特定するために必要な事項である「制御手段」を限定しようとする補正であると考える余地を有するものであることから、仮に本件補正が審判請求人の主張のとおり、平成１８年改正前特許法第１７条の２第４項第２号で規定する特許請求の範囲の減縮を目的とするものに該当するとした場合に、本件補正後の請求項１に係る発明（以下、「本願補正発明」という。）が特許出願の際独立して特許を受けることができるものであるか（平成１８年改正前特許法第１７条の２第５項において準用する同法第１２６条第５項の規定に適合するか）についても、念のため以下に検討する。 
　
（３）独立特許要件について 
　本件補正発明には、「制御手段」に関して、
「制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を、最後に行なわれる前記一連の吸引動作以外の前記一連の吸引動作の少なくとも１回が、前記吸引ポンプ手段の吸引によって生じた負圧が０に減少する途中に前記吸引キャップを前記ノズル面から離すように行わせるものであり、
　前記カムを高速で回転させることによって、前記吸引ポンプ手段の吸引によって生じた負圧が０に減少する途中に前記吸引キャップを前記ノズル面から離すように前記一連の吸引動作を行わせ、前記カムを低速で回転させることによって、前記吸引ポンプ手段の吸引によって生じた負圧が減少し０になってから前記吸引キャップを前記ノズル面から離すように前記一連の吸引動作を行わせる」
と記載されている。
　しかしながら、該記載は、
（甲）「一連の吸引動作の少なくとも１回が、吸引ポンプ手段の吸引によって生じた負圧が０に減少する途中に吸引キャップをノズル面から離すように行わせる」事項と、「カムを低速で回転させることによって、吸引ポンプ手段の吸引によって生じた負圧が減少し０になってから吸引キャップをノズル面から離すように前記一連の吸引動作を行わせる」事項との、相互の技術的な関連性が不明確である点
（乙）「カムを高速で回転させる」ことによって「負圧が０に減少する途中に吸引キャップをノズル面から離す」と言う記載と、「カムを低速で回転させる」ことによって「負圧が減少し０になってから吸引キャップをノズル面から離す」という記載は、技術的に不明確であるとともに、本願の発明の詳細な説明には、上記記載について、当業者が実施をすることができる程度に明確かつ十分に記載されているとは認められない点（何をもって「高速」とし、何をもって「低速」とするものであるのか、技術的に不明確である。また、上記記載に関して、発明の詳細な説明には、カムを高速で回転させるか、もしくは、低速で回転させるかのみにより、「負圧が０に減少する途中に吸引キャップをノズル面から離す」状態と「負圧が減少し０になってから吸引キャップをノズル面から離す」状態とを切り換える旨が記載されているが、同一の駆動機構を用いてこのような切り換えを行うための、カムの回転速度（低速と高速それぞれについて）、吸引ポンプ手段や吸引キャップの材質・サイズ等といった具体的な条件については、本願の発明の詳細な説明には記載がないことから、当業者が実施をすることができる程度に明確かつ十分に記載されているとは認められない。）
から、本件補正発明は、その記載が総体として技術的に不明確なものであり、さらに、本願の発明の詳細な説明は、上記したように、当業者が本件補正発明の実施をすることができる程度に明確かつ十分に記載されたものであるとは認められないものであるから、本願は特許法第３６条第４項及び第６項第２号に規定する要件を満たしていないものである。
　
（４）補正の却下の決定のむすび
　以上のとおり、本件補正は平成１８年改正前特許法第１７条の２第４項の規定に違反するものであるから、同法１５９条第１項において読み替えて準用する同法５３条第１項の規定により、却下されるべきものである。
　また、仮に本件補正が、平成１８年改正前特許法第１７条の２第４項第２号の特許の範囲の減縮を目的とするものに該当するとしても、平成１８年改正前特許法第１７条の２第５項において準用する同法第１２６条第５項の規定に違反するので、同法第１５９条第１項の規定において読み替えて準用する同法第５３条第１項の規定により却下すべきものである。 
　
　
３．本願発明について
３−１．本願発明
　本件補正は上記のとおり却下されたため、本願の請求項１乃至９に記載された発明は、平成１６年１１月２９日付け手続補正書にて補正された前記２．（１）に示したとおりのものであるところ、請求項１に係る発明（以下、「本願発明」という。）は、次のとおりのものである。
「【請求項１】 インクを噴射するノズル孔が開口したノズル面をもつ記録ヘッドを備えるインク噴射装置において、該記録ヘッドのノズル面に接離可能に接触する吸引キャップと、該吸引キャップを通じて記録ヘッドのインクを吸引する吸引ポンプ手段と、前記吸引キャップをノズル面に接離するとともに前記吸引ポンプ手段を駆動する駆動手段と、該駆動手段を制御する制御手段とを備え、
　前記制御手段は、前記吸引キャップをノズル面に接触させて前記吸引ポンプ手段により前記記録ヘッドからインクを吸引し、前記吸引キャップの少なくとも一部を前記ノズル面から離す一連の吸引動作を複数回繰り返す回復動作を行わせるものであって、
　前記回復動作は、最後に行なわれる前記一連の吸引動作以外の前記一連の吸引動作の少なくとも１回が、前記吸引ポンプ手段の吸引によって生じた負圧が０に減少する途中に前記吸引キャップを前記ノズル面から離すように行われることを特徴とするインク噴射装置の回復装置。」
　
３−２．引用例
　原査定の拒絶の理由に引用され、本願出願前に頒布された刊行物である特開平０３−２３４６３８号公報（以下、引用例という。）には、図示とともに以下の技術事項が記載されている。
　
（い）「本発明は、インクジェット記録装置に関するものである。」（公報２ページ左上欄１２〜１３行）
　
（ろ）「本実施例においては、記録ヘッドとしてインク吐出を行うことにより記録を行うインクジェット記録ヘッドを採用している。従って、記録ヘッドのインク吐出口形成面と記録媒体の被記録面との距離は比較的微少であり、かつ記録媒体と吐出口形成面との接触を避けるべくその間隔が厳しく管理されなければならないので、押え板４５の配設が有効である。」（公報４ページ右上欄３〜１０行）
　
（は）「このキャップ５１は、非記録時等の記録ヘッドの保護や、記録ヘッドの吐出回復処理に際して用いられる。吐出回復処理とは、インク吐出口内方に設けられてインク吐出のために利用されるエネルギー発生素子を駆動することにより全吐出口からインクを吐出させ、これによって気泡や塵埃、増粘して記録に適さなくなったインク等の吐出不良要因を除去する処理（予備吐出）や、これとは別に吐出口よりインクを強制的に排出させることにより吐出不良要因を除去する処理である。
　５３はインクの強制排出のために吸引力を作用するとともに、かかる強制排出による吐出回復処理や予備吐出による吐出回復処理に際してキャップ５１に受容されたインクを吸引するために用いられるポンプである。」（公報４ページ右上欄１８行〜同ページ左下欄１３行）
　
（に）「第８図は第２図におけるキャップ５１、ポンプ５３、ブレード５９、モータ６１およびカム装置６３等から成る回復装置の主要部の分解斜視図である。」（公報７ページ左上欄３〜５行）
　
（ほ）「カム装置６３は、ポンプ５３に設けた係合部５４５に係合してこれを回動させるためのカム５４７と、ポンプ５３のピストン軸５２７に設けたピン５３３に係合してポンプを作動させるためのカム５４９と、ブレードレバー５３５に設けた係合部５５１に係合してこれを回動させるためのカム５５３と、カム装置６３のホームポジションを検出するためのスイッチ５５５に係合するカム５５７とを有している。」（公報７ページ左下欄１６行〜同ページ右下欄４行）
　
（へ）「第１０図および第１１図は、それぞれ、カム装置６３の各カムの輪郭曲線および各カム位置に対応した各部動作位置を示す説明図である。なお、第１０図中の数値はカムの回転角度である。
　これら図において、（ａ）は記録動作を行うときのカム位置および各部の状態を示し、キャップ５１およびブレード５９は記録ヘッドの吐出口形成面から離隔し、ポンプ５３は上死点にある。
　（ｂ）はホームポジションスイッチ５５がオフとなった位置であり、この位置をカム装置６３のホームポジションとする。
　これは記録の待機時等に設定される位置であり、このときキャップ５１は吐出口形成面を覆い、かつブレード５９が後退しているとともにポンプ５３も上死点である。
　位置（ｂ）からカムを回転させて行くと、キャップ５１は吐出口形成面に接合（キャップオン）したままピストン５２５が下死点に向けて移動し、キャップに至る吸引系の負圧が大となって行く。やがてピストン５２５がポンプのインク導入口に至りこれを閉塞している期間（弁が閉となる期間）を経て、弁が開き始め（１０９．５゜の点）、完全に開き（１３０．５°の点）、その後ピストン５２５は下死点付近の位置（Ｃ）に至る。インク吸引系の流体抵抗を考慮してこの位置で所定時間カムの回転を停止することにより十分な吸引を行ってから、再びカムを回転させて行くと、ピストン５２５は下死点に至り、キャップ５１は吐出口形成面から離脱し始める。この位置（ｄ）を所定時間保持する。
　その後カムを更に回転させると、ピストン５２５は再び上死点に向かい始める。この過程で弁は閉じ始め（２０９．５°の点）　その後完全に閉塞される点（２３０．５°の点）に至り、一方キャップ５１は位置（ｅ）では完全に吐出口形成面から離隔した状態となっている。この近傍でピストン５２５を数回駆動することにより、インク吸引系に残留したインクがポンプ側に吸引（空吸引）されることになる。」（公報８ページ左上欄２行〜同ページ右上欄最終行）
　
（と）「プリンタ部８のうちプリンタ制御部８０によって制御されるのは、ヘット９、キャリッジモータ３１、搬送モータ３５および回復系モータ６１であり、それぞれヘッドドライバ９Ａ、モータドライバ３１Ａ、３５Ａ、６１Ａによって駆動される。」（公報９ページ左上欄１１〜１６行）
　
　記載（は）および記載（へ）からみて、引用例には「カム装置６３」を回転させることにより吐出回復処理を行うインクジェット記録装置の回復装置が記載されていると認められ、かつ、該吐出回復動作は、「キャップ５１」を「吐出口形成面」に接合させて「ポンプ５３」により記録ヘッドからインクを吸引し、前記「キャップ５１」を「吐出口形成面」から離脱させる一連の吸引動作よりなるものであると認められる。
　
　第１０図からみて、記載（は）〜記載（へ）における「キャップ５１」および「ポンプ５３」は、記録動作を行うときの「カム装置６３」のカム位置（ａ）を０°とした時に、１４５°で「キャップ５１」が吐出口形成面から離脱し始めるものであり、１５５°で「ポンプ５３」の「ピストン５２５」が下死点に至るものであると認められる。つまり、引用例は、ポンプ５３のピストン５２５が下死点に至る途中にキャップ５１を吐出口形成面から離脱させるものである。
　ここで、引用例に記載されたインクジェット記録装置の回復装置は、その構造から見て、ピストン５２５が下死点に至るまでの間はポンプ５３内部に負圧が生じているものであると認められるから、引用例には、ポンプ５３の吸引によって負圧が生じている間にキャップ５１を吐出口形成面から離脱させるように行われる吐出回復処理が開示されている。
　そして、ポンプ５３により生じた負圧は、通常、キャップ５１を吐出口形成面に接触させておいたとしても、時間が経てば最終的には０に減少するものであるから、吸引ポンプ手段による負圧が生じている間にキャップ５１を吐出口形成面から離脱させるということは、吸引ポンプ手段によって生じた負圧が最終的に０に減少する途中に、吸引キャップをノズル面から離すことであると認められる。
　したがって、引用例には、ポンプ５３の吸引によって負圧が０に減少する途中にキャップ５１を吐出口形成面から離脱させるように行われる吐出回復処理が開示されていると認められる。
　
　上記記載（い）〜記載（と）および引用例の明細書ならびに図面全体から、引用例には次の発明（以下、引用発明という。）が記載されていると認められる。
「インク吐出を行う吐出口形成面を有する記録ヘッドを備えるインクジェット記録装置において、該記録ヘッドの吐出口形成面に接合した位置及び離脱した位置を取りうるキャップ５１と、該キャップ５１を通じて記録ヘッドのインクを吸引するポンプ５３と、前記キャップ５１を吐出口形成面に接合した位置及び離脱した位置に移動させるとともに前記ポンプ５３を駆動するカム装置６３と、該カム装置６３を制御するプリンタ制御部８０とを備え、前記プリンタ制御部８０は前記キャップ５１を吐出口形成面に接合させて前記ポンプ５３により記録ヘッドからインクを吸引し、前記キャップ５１を吐出口形成面から離脱させる一連の吸引動作よりなる吐出回復処理を行わせるものであって、前記吐出回復処理は、前記ポンプ５３の吸引によって負圧が０に減少する途中に前記キャップ５１を吐出口形成面から離脱させるように行われるインクジェット記録装置の回復装置。」
　
３−３．対比
　本願発明と引用発明とを対比する。
　引用発明における「インク吐出を行う」は、本願発明における「インクを噴射する」に相当する。
　引用発明における「吐出口形成面」は、本願発明における「ノズル孔が開口したノズル面」または「ノズル面」に相当する。
　引用発明における「インクジェット記録装置」は、本願発明における「インク噴射装置」に相当する。
　引用発明における「接合した位置及び離脱した位置を取りうる」は、本願発明における「接離可能に接触する」に相当する。
　引用発明における「キャップ５１」は、本願発明における「吸引キャップ」に相当する。
　引用発明における「ポンプ５３」は、本願発明における「吸引ポンプ手段」に相当する。
　引用発明における「接合した位置及び離脱した位置に移動させる」は、本願発明における「接離する」に相当する。
　引用発明における「カム装置６３」は、本願発明における「駆動手段」に相当する。
　引用発明における「プリンタ制御部８０」は、本願発明における「制御手段」に相当する。
　引用発明における「接合させて」は、本願発明における「接触させて」に相当する。
　引用発明における「吐出回復処理」は、本願発明における「回復動作」に相当する。
　引用発明における「離脱させる」は、本願発明における「離す」に相当する。
　
　してみると、本願発明と引用発明とは、以下の点で一致する。
＜一致点＞
「インクを噴射するノズル孔が開口したノズル面をもつ記録ヘッドを備えるインク噴射装置において、該記録ヘッドのノズル面に接離可能に接触する吸引キャップと、該吸引キャップを通じて記録ヘッドのインクを吸引する吸引ポンプ手段と、前記吸引キャップをノズル面に接離するとともに前記吸引ポンプ手段を駆動する駆動手段と、該駆動手段を制御する制御手段とを備え、前記制御手段は前記吸引キャップをノズル面に接触させて前記吸引ポンプ手段により記録ヘッドからインクを吸引し、前記吸引キャップをノズル面から離脱させる一連の吸引動作よりなる回復動作を行わせるものであって、前記回復動作は、前記吸引ポンプ手段の吸引によって負圧が０に減少する途中に前記吸引キャップを吐出口形成面から離すように行われるインク噴射装置の回復装置。」
　
　一方で、本願発明と引用発明とは、以下の点で相違する。
＜相違点＞
　本願発明は、一連の吸引動作を「複数回繰り返す」回復動作を行うものと特定されるものであるのに対し、引用発明は、回復動作を何回行うものであるのか明示されておらず、上記特定を有するものであるのかどうか不明確である点。
　
３−４．判断
　上記＜相違点＞について判断する。
　インク噴射装置の回復装置という技術分野において、回復動作として一連の吸引動作を「複数回繰り返す」技術は、例えば平成１６年９月２日付け拒絶理由にても示された特開昭６３−２２４９６０号公報、特開平０５−１１６３３９号公報等に記載されているように、周知の事項である。
　したがって、引用発明において、上記周知事項を参考にして回復動作として一連の吸引動作を「複数回繰り返す」よう設計することは、当業者ならば容易に想到することができたものである。
　
　そして、本願発明の作用効果も、引用発明および周知事項に基づいて、当業者が予測しうるものに過ぎない。
　
　以上のとおり、本願発明は引用発明および周知事項に基づいて当業者が容易に想到することができたものであるから、特許法第２９条第２項の規定により、特許を受けることができない。
　
３−５．むすび
　以上のとおり、本願発明は、特許法第２９条第２項の規定により、特許を受けることができないものである。
　したがって、その余の請求項に係る発明について論及するまでもなく、本願は、拒絶すべきものである。
　よって、結論のとおり審決する。